(57)【要約】【課題】複数の装置間でデータを送受信する場合に、送信側の装置と受信側の装置との対応を高い自由度で制御する。【解決手段】ＰＯＳシステム１は、データを受信する表示タブレット端末１０２と、ホスト装置１１と、制御タブレット端末１０１とを備える。ホスト装置１１は、制御タブレット端末１０１が送信したデータを受信するサーバーインターフェイス３２、データボックス２６を有する記憶部２５、及び、データをデータボックス２６に記憶させるデバイス制御部２０を有する。データボックス２６は、表示タブレット端末１０２に対応付けられる。デバイス制御部２０は、制御タブレット端末１０１がデータボックス２６を指定してデータを送信した場合に、データを指定されたデータボックス２６に記憶させ、データボックス２６に対応付けられた表示タブレット端末１０２に送信させる。【選択図】図３
2015082171.tif 000002
【特許請求の範囲】
【請求項１】
データを送信するデータ供給装置と、
前記データを受信して処理を行う受信装置と、
前記データ供給装置が送信した前記データを受信する受信部、前記受信装置に対応付けられて前記データを記憶する記憶領域を有する記憶部、及び前記データ供給装置が前記記憶領域を指定して前記データを送信した場合に前記データを指定された前記記憶領域に記憶させて前記記憶領域に記憶された前記データを前記記憶領域に対応づけられた前記受信装置に送信させるデータ制御部を有する送信装置と、
を備えることを特徴とする送信システム。
【請求項２】
前記データを受信して処理を行う第２の受信装置を備える請求項１に記載の送信システム。
【請求項３】
前記記憶領域が前記受信装置及び前記第２の受信装置と対応付けられているとき、
前記データ制御部は、前記記憶領域に記憶された前記データを前記受信装置及び前記第２の受信装置に送信させる請求項２に記載の送信システム。
【請求項４】
前記データ制御部は、前記データ供給装置が前記記憶領域と前記第２の受信装置を指定して前記データを送信した場合、前記記憶領域に記憶された前記データを、前記第２の受信装置に送信させる請求項２記載の送信システム。
【請求項５】
前記記憶部は、前記記憶領域と異なる第２の記憶領域を有し、
前記第２の記憶領域が前記データ供給装置に対応付けられていないとき、前記データ制御部は、前記データ供給装置が前記第２の記憶領域を指定して前記データを送信した場合に、前記データを前記第２の記憶領域に記憶させない請求項１に記載の送信システム。
【請求項６】
データを送信する送信部と、
受信装置に対応付けられて前記データを記憶する記憶領域を有する記憶部と、
外部装置から受信した前記データを前記記憶領域に記憶させる制御を行い、前記記憶領域に前記データを記憶させた場合に、前記記憶領域に記憶された前記データを、前記記憶領域に対応づけられた前記受信装置に送信させるデータ制御部と、
を備えることを特徴とする送信装置。
【請求項７】
記憶領域を指定する情報を含むデータを取得し、
前記記憶領域を指定する情報に基づいて前記データを前記記憶領域に記憶させ、
前記記憶領域に前記データを記憶させた場合に、前記記憶領域に記憶されたデータを前記記憶領域に対応づけられた受信装置に送信すること、
を特徴とするデータ送信方法。
【発明の詳細な説明】
【技術分野】
【０００１】
本発明は、送信システム、送信装置、及び、データ送信方法に関する。
【背景技術】
【０００２】
従来、複数の装置間でデータを送受信する仕組みとして、ウェブソケットを利用した双方向通信が知られている（例えば、特許文献１参照）。特許文献１記載の構成では、サーバー装置の記憶部にデータが格納されるごとに、サーバー装置からクライアント装置へデータが送信される。このような仕組みでは、クライアント装置からサーバー装置へデータを要求する手順を省略して、データを送信できる。
【先行技術文献】
【特許文献】
【０００３】
【特許文献１】特開２０１２−１８２７４４号公報
【発明の概要】
【発明が解決しようとする課題】
【０００４】
しかしながら、データを受信する側の装置がデータを要求する手順を行うことなくデータを送信する場合、受信側が要求をしないために、どの装置にデータを送信すればよいのか特定することが容易でない。このため、例えば特許文献１に記載されたように、送信側の装置と受信側の装置とを１対１で接続するなど、接続状態を単純にする必要があった。
本発明は、上述した事情に鑑みてなされたものであり、装置間でデータを送受信する場合に、送信側の装置と受信側の装置との対応を高い自由度で制御できるようにすることを目的とする。
【課題を解決するための手段】
【０００５】
上記目的を達成するために、本発明の送信システムは、データを送信するデータ供給装置と、前記データを受信して処理を行う受信装置と、前記データ供給装置が送信した前記データを受信する受信部、前記受信装置に対応付けられて前記データを記憶する記憶領域を有する記憶部、及び前記データ供給装置が前記記憶領域を指定して前記データを送信した場合に前記データを指定された前記記憶領域に記憶させて、前記記憶領域に記憶された前記データを前記記憶領域に対応づけられた前記受信装置に送信させるデータ制御部を有する送信装置と、を備えることを特徴とする。
本発明によれば、受信装置へのデータの送信を簡易化し、データの送信先の受信装置を高い自由度で決めることができる。
【０００６】
また、本発明は、上記送信システムにおいて、前記データを受信して処理を行う第２の受信装置を備える。
本発明によれば、送信側のデータ供給装置と受信装置との対応を高い自由度で制御できる。また、データ供給装置から受信装置へのデータの送信をより一層簡易化できる。
【０００７】
また、本発明は、上記送信システムにおいて、前記記憶領域が前記受信装置及び前記第２の受信装置と対応付けられているとき、前記データ制御部は、前記記憶領域に記憶された前記データを前記受信装置及び前記第２の受信装置に送信させる。
本発明によれば、データ供給装置が記憶領域を指定してデータを送信すると、送信されたデータが受信装置及び第２の受信装置に送信される。このため、データ供給装置から受信装置へのデータの送信をより一層簡易化できる。
【０００８】
また、本発明は、上記送信システムにおいて、前記データ制御部は、前記データ供給装置が前記記憶領域と前記第２の受信装置を指定して前記データを送信した場合、前記記憶領域に記憶された前記データを、前記第２の受信装置に送信させる。
本発明によれば、送信側のデータ供給装置と受信装置との対応を高い自由度で制御できる。
【０００９】
また、本発明は、上記送信システムにおいて、前記記憶部は、前記記憶領域と異なる第２の記憶領域を有し、前記第２の記憶領域が前記データ供給装置に対応付けられていないとき、前記データ制御部は、前記データ供給装置が前記第２の記憶領域を指定して前記データを送信した場合に、前記データを前記第２の記憶領域に記憶させない。
本発明によれば、記憶領域に対応付けられたデータ供給装置が送信するデータを記憶領域に記憶して、受信装置に送信する。このため、データを送信可能なデータ供給装置を制限することでセキュリティー面の信頼性を高めることができる。
【００１０】
また、上記目的を達成するために、本発明の送信装置は、データを送信する送信部と、受信装置に対応付けられて前記データを記憶する記憶領域を有する記憶部と、外部装置から受信した前記データを前記記憶領域に記憶させる制御を行い、前記記憶領域に前記データを記憶させた場合に、前記記憶領域に記憶された前記データを、前記記憶領域に対応づけられた前記受信装置に送信させるデータ制御部と、を備えることを特徴とする。
本発明によれば、受信装置へのデータの送信を簡易化するとともに、データの送信先の受信装置を高い自由度で決めることができる。
【００１１】
また、上記目的を達成するために、本発明のデータ送信方法は、記憶領域を指定する情報を含むデータを取得し、前記記憶領域を指定する情報に基づいて前記データを前記記憶領域に記憶させ、前記記憶領域に前記データを記憶させた場合に、前記記憶領域に記憶されたデータを前記記憶領域に対応づけられた受信装置に送信すること、を特徴とする。
本発明によれば受信装置へのデータの送信を簡易化し、データの送信先の受信装置を高い自由度で決めることができる。
【図面の簡単な説明】
【００１２】
【図１】本実施形態に係るＰＯＳシステムの概略構成ブロック図である。
【図２】ＰＯＳシステムの機能的構成を示すブロック図である。
【図３】ＰＯＳシステムにおけるデータ送信動作の説明図である。
【図４】制御タブレット端末及び表示タブレット端末の表示例を示す図である。
【図５】データを送受信する動作の説明図である。
【図６】ＰＯＳシステムの装置の動作を示すシーケンス図である。
【発明を実施するための形態】
【００１３】
以下、図面を参照して本発明の実施形態について説明する。
図１は、本実施形態に係るＰＯＳ（Point of Sales）システム１（送信システム）の概略構成ブロック図である。また、図２はＰＯＳシステム１を構成する制御タブレット端末１０１（データ供給装置）、表示タブレット端末１０２（受信装置）、及び、ホスト装置１１（送信装置）の機能的構成を示すブロック図である。
【００１４】
ＰＯＳシステム１は、小売店、飲食店、サービス提供施設等の店舗または施設における商品販売に関し、商品登録、支払金額算出、支払いに伴う会計処理、会計処理の内容を含むレシート発行、会計処理に伴う情報の提供等を行う。また、ＰＯＳシステム１は、商品の販売状況、商品の在庫状況、売上状況等を管理する。
ＰＯＳシステム１が使用される店舗には、会計処理を行う複数のレジカウンターが設けられている。そして、１つのレジカウンターには、少なくとも１台のホスト装置１１が設けられ、複数の表示タブレット端末１０２を設置可能である。
【００１５】
本実施形態のＰＯＳシステム１は、制御タブレット端末１０１、表示タブレット端末１０２およびホスト装置１１間で無線データ通信を実行させる無線ルーター３を備えている。無線ルーター３は、制御タブレット端末１０１、表示タブレット端末１０２、およびホスト装置１１と、例えば無線ＬＡＮ規格に準拠した無線データ通信を実行し、これら機器間のデータの送受信を中継する。
無線ルーター３は、通信ネットワークＮを介して外部サーバー２に接続される。通信ネットワークＮは、例えば公衆回線網や専用線等により構成される通信網であって、インターネット等のオープンなネットワークであってもよいし、特定の装置がアクセス可能なクローズドなネットワークであってもよい。無線ルーター３は、制御タブレット端末１０１、表示タブレット端末１０２、およびホスト装置１１等の機器と、外部サーバー２との間のデータ通信を中継する機能を有する。
【００１６】
外部サーバー２は、例えば、気象情報を配信するサーバー装置、広告情報を配信するサーバー装置である。外部サーバー２は、表示タブレット端末１０２がＵＲＬを指定して外部サーバー２にＨＴＴＰアクセスした場合に、指定されたＵＲＬに対応するテキストデータや画像データを表示タブレット端末１０２に送信する。これにより、表示タブレット端末１０２は、外部サーバー２から、例えば気象情報や広告情報を取得する。
【００１７】
制御タブレット端末１０１、及び、表示タブレット端末１０２は、タブレット型（板状）のコンピューターであり、前面に形成された表示領域にタッチパネルが設けられ、タッチ操作によって入力操作が可能である。
制御タブレット端末１０１は、レジカウンターで会計を担当するオペレーターが使用する端末である。表示タブレット端末１０２は、レジカウンターに設置され、合計金額等の会計に関する情報を顧客に対して表示する。すなわち、表示タブレット端末１０２は、いわゆるカスタマーディスプレイとしての機能を果たす。
【００１８】
ホスト装置１１は、ＰＯＳサーバー１７及びデバイスサーバー１８を備える。ＰＯＳサーバー１７は、ＰＯＳシステム１を管理するサーバー装置として、制御タブレット端末１０１に対するデータの提供等を行う。
デバイスサーバー１８には、入力デバイスとしてバーコードスキャナー１２及びカードリーダー１３が接続されている。バーコードスキャナー１２は、商品または商品の包装に付されたバーコードを読み取って、読取結果をデバイスサーバー１８に出力する。バーコードスキャナー１２は、Bluetooth（登録商標）の規格に準拠した近距離無線通信によってデバイスサーバー１８と接続されてもよいし、ＵＳＢインターフェイス等の有線通信インターフェイスにより接続されてもよい。カードリーダー１３は、クレジットカードや顧客の会員カード等を読み取って、読取結果をデバイスサーバー１８に出力する。カードリーダー１３は、磁気カードに記録された磁気情報を読み取るものであってもよいし、ＩＣカードに対する情報の読み書きを行うものであってもよい。カードリーダー１３は、ＵＳＢ等の有線通信インターフェイスによりデバイスサーバー１８に接続される。
【００１９】
デバイスサーバー１８は、バーコードスキャナー１２及びカードリーダー１３から入力されるデータを制御タブレット端末１０１に送信する。また、デバイスサーバー１８には、キャッシュドロワー１４及びプリンターユニット２１が接続されている。キャッシュドロワー１４はプリンターユニット２１を介してデバイスサーバー１８にデイジーチェーン接続され、デバイスサーバー１８が信号を送信するとキャッシュドロワー１４が開く。デバイスサーバー１８は、ホスト装置１１の筐体に内蔵されるプリンターユニット２１を制御して、レシートを印刷させる。
【００２０】
図２に示すように、ホスト装置１１は、制御タブレット端末１０１及び表示タブレット端末１０２と通信を行うサーバーインターフェイス（Ｉ／Ｆ）３２を備え、ＰＯＳサーバー１７とデバイスサーバー１８とが接続されている。サーバーインターフェイス３２は、所定のネットワークカード等の通信インターフェイスを備え、ＰＯＳサーバー１７が備えるＰＯＳサーバー制御部３０、及び、デバイスサーバー１８が備えるデバイス制御部２０の制御により動作する。サーバーインターフェイス３２（受信部）は、ＰＯＳサーバー制御部３０及びデバイス制御部２０の制御に従い、制御タブレット端末１０１、及び、表示タブレット端末１０２との間で所定の無線通信プロトコルを実行し、データを送受信する。これにより、ＰＯＳサーバー１７及びデバイスサーバー１８は、サーバーインターフェイス３２を介して制御タブレット端末１０１及び表示タブレット端末１０２と通信を行う。
【００２１】
デバイスサーバー１８は、デバイス制御部２０と、プリンターユニット２１と、無線デバイス通信部２２と、有線デバイス通信部２４と、記憶部２５と、を備える。
デバイス制御部２０は、デバイスサーバー１８を制御するものであり、図示しないＣＰＵや、ＲＯＭ、ＲＡＭ、その他の周辺回路等を備えている。デバイス制御部２０は、プリンターユニット制御部２０ａ、通信部２０ｂ、デバイス通信制御部２０ｃ、及びデータ配信部２０ｄを備える。これらの機能ブロックは、例えば、デバイスサーバー１８のＣＰＵがプログラムを実行することにより実現される。プリンターユニット制御部２０ａは、プリンターユニット２１の制御に係るプログラムを実行してプリンターユニット２１を制御する。デバイス制御部２０が実行するプログラムは、例えば、ホスト装置１１を製造した製造事業者が提供するＡＰＩ（Application Program Interface）を利用して生成される。この種のプログラムは、例えばプリンターユニット２１の制御に係るプログラムや、通信の制御に係るプログラム、デバイスの制御に係るプログラムである。これらのプログラムをデバイス制御部２０が実行することで、プリンターユニット制御部２０ａ、通信部２０ｂ、デバイス通信制御部２０ｃ、およびデータ配信部２０ｄが実現される。
【００２２】
プリンターユニット２１は、プリンターユニット制御部２０ａの制御の下、ロール紙を搬送する搬送部、サーマルヘッドによってロール紙に文字や画像を印刷する印刷部、ロール紙を切断するカッター等を備える。プリンターユニット２１は、ロール紙にレシートに係る画像を印刷した後、所定の位置でロール紙を切断することにより、レシートを発行する。また、プリンターユニット２１には、キャッシュドロワー１４がデイジーチェーン接続されている。プリンターユニット制御部２０ａは、プリンターユニット２１を介して、所定のシリアル通信規格に準拠したプロトコルでキャッシュドロワー１４と通信可能に接続されている。
【００２３】
データ配信部２０ｄは、デバイス制御部２０を構成するＲＡＭまたは記憶部２５の記憶領域に設けられるデータボックス２６（図３）を使って、制御タブレット端末１０１から受信したデータを表示タブレット端末１０２に配信する。具体的には、データ配信部２０ｄは、通信部２０ｂが制御タブレット端末１０１からデータを受信した場合に、受信されたデータをデータボックス２６に記憶させる。また、データ配信部２０ｄは、データボックス２６に新たに記憶されたデータを、通信部２０ｂにより表示タブレット端末１０２に送信させる。ここで、データ配信部２０ｄは、データボックス２６に対応付けられた表示タブレット端末１０２を、データの送信先として選択する。
【００２４】
データ配信部２０ｄは、デバイス制御部２０を構成するＲＡＭまたは記憶部２５の記憶領域に設けられるデータボックス２６（図３）を使って、制御タブレット端末１０１から受信したデータを表示タブレット端末１０２に配信する。具体的には、データ配信部２０ｄは、通信部２０ｂが制御タブレット端末１０１からデータを受信した場合に、受信されたデータをデータボックス２６に記憶させる。また、データ配信部２０ｄは、データボックス２６に新たに記憶されたデータを、通信部２０ｂにより表示タブレット端末１０２に送信させる。ここで、データ配信部２０ｄは、データボックス２６に対応して、データを送信する表示タブレット端末１０２を選択、特定する制御を行う。
【００２５】
無線デバイス通信部２２は、バーコードスキャナー１２との間でBluetoothの規格に準拠した近距離無線通信を行うものであり、リンクマネージャーや、リンクコントローラー、高周波回路、アンテナ等を含んで構成されている。デバイス通信制御部２０ｃは、Bluetoothハードウェアを制御する、いわゆるBluetooth Driver Stackを読み出して実行する。これにより、デバイス通信制御部２０ｃは無線デバイス通信部２２を制御して、バーコードスキャナー１２との間でBluetoothの規格に準拠して近距離無線通信を行う。
有線デバイス通信部２４は、物理ポートに接続されたネットワークインターフェイスカード等を備え、カードリーダー１３との間でＵＳＢ等の所定の通信プロトコルを実行して有線通信を行う。デバイス通信制御部２０ｃは、有線デバイス通信部２４を制御して、カードリーダー１３との間でデータまたは信号を送受信する。
記憶部２５は、磁気的、光学的記憶媒体または半導体記憶素子で構成される不揮発性の記憶装置により構成される。記憶部２５はプログラムやデータを、デバイス制御部２０のＣＰＵにより読み取り可能な態様で、書き換え可能に記憶する。
【００２６】
ＰＯＳサーバー１７は、商品に関する情報を格納したデータベース、売り上げを管理するデータベース、在庫を管理するデータベース等を記憶するＰＯＳサーバー記憶部３１を備え、これらデータベースを利用して、ＰＯＳシステム１を管理する。
ＰＯＳサーバー１７は、ＰＯＳサーバー制御部３０と、ＰＯＳサーバー記憶部３１とを備え、サーバーインターフェイス３２に接続される。
【００２７】
ＰＯＳサーバー制御部３０は、図示しないＣＰＵや、ＲＯＭ、ＲＡＭ、その他の周辺回路等を備え、ＰＯＳサーバー１７を制御する。これらのＣＰＵ、ＲＯＭ、ＲＡＭ、及びその他の周辺回路はデバイス制御部２０と共通であってもよい。
ＰＯＳサーバー記憶部３１は、磁気的、光学的記憶媒体または半導体記憶素子で構成される不揮発性の記憶装置により構成される。ＰＯＳサーバー記憶部３１はプログラムやデータを、上記ＣＰＵにより読み取り可能な態様で、書き換え可能に記憶する。ＰＯＳサーバー記憶部３１は、記憶部２５と共通の記憶装置により構成されてもよい。
ＰＯＳサーバー記憶部３１には、アプリケーション３５がロード可能に記憶されている。そして、アプリケーション実行部３０ａは、アプリケーション３５を読み出して実行することにより、単独で、又は、第１ブラウザー実行部２６１ａと協働して処理を実行する。アプリケーション実行部３０ａは、制御タブレット端末１０１、又は、表示タブレット端末１０２から要求されたウェブページのデータを生成し、或いはＰＯＳサーバー記憶部３１から読み出して、要求元の端末に送信する。表示タブレット端末１０２は、受信したウェブページのデータに基づいて、後述する画面を表示する。
【００２８】
制御タブレット端末１０１は、第１端末制御部２６１、端末インターフェイス（Ｉ／Ｆ）２７１、表示制御部２８１、入力検出部２９１、及び、タッチパネル１０１ａを備えている。
タッチパネル１０１ａは、制御タブレット端末１０１の前面に配設された表示パネル１０１ｃと、表示パネル１０１ｃに重ねて配設されたタッチセンサー１０１ｂとで構成されている。表示パネル１０１ｃは、液晶表示パネル、有機ＥＬパネル、電子ペーパー等のディスプレイであり、表示制御部２８１によって駆動される。タッチセンサー１０１ｂは、表示パネル１０１ｃに重ねて配設された静電容量式もしくは感圧式のセンサーであり、ユーザーの手指やペン型操作デバイスによる接触操作を検出して、操作を検出した位置を示す信号を入力検出部２９１に出力する。
表示制御部２８１は、後述する第１ブラウザー実行部２６１ａから入力される表示イメージデータに基づいて、表示パネル１０１ｃを駆動し、表示パネル１０１ｃに文字や画像等を含む画面を表示する。
入力検出部２９１は、タッチセンサー１０１ｂが出力する信号に基づいて、タッチパネル１０１ａに対する接触操作を検出する。この操作を検出した場合、入力検出部２９１は、操作位置を、表示パネル１０１ｃの表示位置に対応する座標により示す座標データを生成し、第１ブラウザー実行部２６１ａに出力する。
【００２９】
第１端末制御部２６１は、ＣＰＵや、ＲＯＭ、ＲＡＭ、その他の周辺回路等を備え、制御タブレット端末１０１を制御する。第１端末制御部２６１は、ブラウザープログラムを実行することにより、ブラウザーの機能を実現する第１ブラウザー実行部２６１ａを備える。第１ブラウザー実行部２６１ａは、ＨＴＭＬ等のマークアップ言語やスクリプト言語で記述されたウェブページをＰＯＳサーバー１７から受信する。第１ブラウザー実行部２６１ａは受信したウェブページの表示イメージデータを生成して、表示制御部２８１に出力する。
また、第１ブラウザー実行部２６１ａは、ウェブページに実装されたスクリプトを利用し、アプリケーション実行部３０ａと、ウェブアプリケーションを実行する。すなわち、第１ブラウザー実行部２６１ａは、アプリケーション実行部３０ａが提供するウェブアプリケーションを実行してデータを処理する。そして、制御タブレット端末１０１は、第１ブラウザー実行部２６１ａの動作、または、第１ブラウザー実行部２６１ａとアプリケーション実行部３０ａとが実行するウェブアプリケーションの機能により、ＰＯＳ端末装置として機能する。
【００３０】
第１ブラウザー実行部２６１ａは、タッチセンサー１０１ｂへのタッチ操作に対応して入力検出部２９１から入力される座標データと表示制御部２８１に出力した表示イメージデータに基づき、入力内容を特定する。第１ブラウザー実行部２６１ａは、特定した入力内容を示すデータをアプリケーション実行部３０ａへ送信する。アプリケーション実行部３０ａは、入力されたデータを処理して、処理結果を第１ブラウザー実行部２６１ａに送信する。第１ブラウザー実行部２６１ａは受信した処理結果に基づいて表示イメージデータを表示制御部２８１に出力する。また、第１ブラウザー実行部２６１ａは、データ配信部２０ｄが提供するウェブアプリケーションを実行する。
第１ブラウザー実行部２６１ａは、データ配信部２０ｄが提供するウェブアプリケーションを実行する。この動作により、第１ブラウザー実行部２６１ａは、デバイスサーバー１８を経由して表示タブレット端末１０２にデータを配信する機能を実現する。
【００３１】
端末インターフェイス２７１（Ｉ／Ｆ）は、第１端末制御部２６１の制御の下、デバイスサーバー１８、及び、ＰＯＳサーバー１７と、所定の無線通信プロトコルを実行して通信を行う。
【００３２】
表示タブレット端末１０２は、制御タブレット端末１０１と同様、第２端末制御部２６２、端末インターフェイス（Ｉ／Ｆ）２７２、表示制御部２８２、入力検出部２９２、及び、タッチパネル１０２ａを備えている。
タッチパネル１０２ａは、表示タブレット端末１０２に配設された表示パネル１０２ｃ（表示部）と、表示パネル１０２ｃに重ねて配設されたタッチセンサー１０２ｂとで構成されている。表示パネル１０２ｃは、液晶表示パネル、有機ＥＬパネル、電子ペーパー等のディスプレイである。タッチセンサー１０２ｂは、静電容量式もしくは感圧式のセンサーであり、ユーザーの手指やペン型操作デバイスによる接触操作を検出して、操作を検出した位置を示す信号を入力検出部２９２に出力する。
表示制御部２８２は、表示パネル１０２ｃを駆動して表示パネル１０２ｃに文字や画像等を含む画面を表示させる。表示制御部２８２には第２ブラウザー実行部２６２ａから表示イメージデータが入力されるので、この表示イメージデータに基づき、表示制御部２８２は表示パネル１０２ｃを駆動する。入力検出部２９２は、タッチセンサー１０２ｂが出力する信号に基づいて、タッチパネル１０２ａに対する接触操作を検出する。この操作を検出した場合、入力検出部２９２は、操作位置を、表示パネル１０２ｃの表示位置に対応する座標により示す座標データを生成し、第２ブラウザー実行部２６２ａに出力する。
【００３３】
第２端末制御部２６２は、ＣＰＵや、ＲＯＭ、ＲＡＭ、その他の周辺回路等を備え、表示タブレット端末１０２を制御する。第２端末制御部２６２は、ブラウザープログラムを実行することにより、ブラウザーの機能を実現する第２ブラウザー実行部２６２ａを備えている。
【００３４】
第２ブラウザー実行部２６２ａは、タッチパネル１０２ａの操作に応じて、ブラウザーの機能によりデバイスサーバー１８にアクセスする。第２ブラウザー実行部２６２ａは、ＨＴＭＬ等のマークアップ言語やスクリプト言語で記述されたウェブページを、デバイスサーバー１８からダウンロードする。ダウンロードされたウェブページのデータは、例えばＲＡＭ（図示略）に記憶される。第２ブラウザー実行部２６２ａは、ブラウザーの機能により、ダウンロードされたウェブページのデータを読み込み、このウェブページの表示イメージデータを生成して、表示制御部２８２に出力する。
【００３５】
第２ブラウザー実行部２６２ａは、デバイスサーバー１８から送信されるデータを受信した場合に、デバイス制御部２０が提供するウェブアプリケーションを実行する。このウェブアプリケーションの機能により、第２ブラウザー実行部２６２ａは、デバイスサーバー１８からデータを受信し、受信したデータを処理する。例えば、第２ブラウザー実行部２６２ａは、デバイスサーバー１８から受信したデータに含まれるテキストデータや画像データを表示する表示イメージデータを生成する。また、第２ブラウザー実行部２６２ａは、デバイスサーバー１８から受信したデータに基づき、外部サーバー２等の外部の装置からデータを取得できる。例えば、デバイスサーバー１８から受信したデータが外部サーバー２のＵＲＬである場合、第２ブラウザー実行部２６２ａはＵＲＬに基づき外部サーバー２に対してＨＴＴＰアクセスする。第２ブラウザー実行部２６２ａは、外部サーバー２からテキストや画像等のデータを受信して、表示イメージデータを生成する。このように第２ブラウザー実行部２６２ａが生成する表示イメージデータに基づき、表示制御部２８２が表示パネル１０２ｃに表示する。
【００３６】
図３は、制御タブレット端末１０１と、デバイスサーバー１８と、表示タブレット端末１０２との間でデータを送受信する動作の説明図である。図３には、デバイス制御部２０が備える通信部２０ｂ、データ配信部２０ｄ、第１ブラウザー実行部２６１ａ、及び、第２ブラウザー実行部２６２ａの関係を説明に適した態様で模式的に示す。
【００３７】
図３には、ホスト装置１１が備えるデバイス制御部２０の機能を示す機能ブロックとして、データボックス２６、ボックス管理オブジェクト２８、およびボックスオブジェクト２９を示す。データボックス２６はデバイス制御部２０を構成するＲＡＭ又は記憶部２５に設けられる記憶領域である。ボックス管理オブジェクト２８及びボックスオブジェクト２９は、通信部２０ｂの通信機能、及び、データ配信部２０ｄが通信部２０ｂを制御する機能を使用する。
図３の端末情報２７はボックス管理オブジェクト２８が生成するデータであり、データボックス２６と同様に、記憶部２５又はＲＡＭに記憶される。本実施形態では、データボックス２６が記憶部２５に設けられ、端末情報２７が記憶部２５に記憶される例を示す。
【００３８】
ボックス管理オブジェクト２８およびボックスオブジェクト２９は、デバイス制御部２０が生成するオブジェクトである。ボックス管理オブジェクト２８及びボックスオブジェクト２９は、データボックス２６のデータおよび端末情報２７を処理するメソッド、制御タブレット端末１０１、表示タブレット端末１０２と通信するメソッド等を含む。
【００３９】
ＰＯＳシステム１が起動する際、或いは、ホスト装置１１が起動した状態で第１ブラウザー実行部２６１ａが動作を開始する際に、上述したウェブアプリケーションが実行される。このウェブアプリケーションの機能により、第１ブラウザー実行部２６１ａとデバイスサーバー１８との間で、データを送受信する通信経路である第１経路Ｋ１が確立される。第１ブラウザー実行部２６１ａとデバイスサーバー１８とは、ウェブソケット（ＷｅｂＳｏｃｋｅｔ）の規格に準拠したコネクションを張り、ソフトウェアのインターフェイスである第１経路を形成する。第１経路Ｋ１は、例えば、Ｓｏｃｋｅｔ．ｉｏライブラリーを利用した、ウェブソケットの規格に準拠した通信経路であるが、Ｃｏｍｅｔ等の他の規格を利用するものであってもよい。
【００４０】
同様に、ＰＯＳシステム１が起動する際、或いは、ホスト装置１１が起動した状態で第２ブラウザー実行部２６２ａが動作を開始する際に、ウェブアプリケーションが実行される。このウェブアプリケーションの機能により、第２ブラウザー実行部２６２ａとデバイスサーバー１８の通信部２０ｂとの間で、第２経路Ｋ２が確立される。第２経路Ｋ２は、第１経路Ｋ１と同様、ウェブソケットの規格に準拠して張られたコネクションに基づく通信経路である。
ＰＯＳシステム１では複数の表示タブレット端末１０２をデバイスサーバー１８に接続できる。デバイスサーバー１８は第２ブラウザー実行部２６２ａに対し、第２経路Ｋ２を介してデータをプッシュ送信する。デバイスサーバー１８は、任意のタイミングでデータを第２ブラウザー実行部２６２ａに送信でき、データを送信する際に第２ブラウザー実行部２６２ａがデバイスサーバー１８にリクエストを行う手順を必要としない。
【００４１】
データボックス２６は、記憶部２５に作成される記憶領域である。作成できるデータボックス２６の数、及び、データボックス２６に記憶できるデータの容量は予め設定されている。データボックス２６は識別情報を有する。この識別情報を用いて１つのデータボックス２６を特定できる。データボックス２６の識別情報は、データボックス２６を作成するときに、制御タブレット端末１０１又はホスト装置１１により指定される。図３中の３つのデータボックス２６には、＃１〜＃３の識別情報が付けられている。
【００４２】
データボックス２６は、制御タブレット端末１０１、および、表示タブレット端末１０２に対応づけられる。１つのデータボックス２６に対応付ける制御タブレット端末１０１及び表示タブレット端末１０２の数は任意である。また、１つの制御タブレット端末１０１を複数のデータボックス２６に対応付けてもよいし、１つの表示タブレット端末１０２を複数のデータボックス２６に対応付けてもよい。
【００４３】
端末情報２７は、データボックス２６と制御タブレット端末１０１及び表示タブレット端末１０２との対応づけを示す情報である。端末情報２７は、制御タブレット端末１０１および表示タブレット端末１０２を特定する情報として、第１経路Ｋ１および第２経路Ｋ２に付与されるＩＤ、端末の名称、端末のネットワークアドレス（ＩＰアドレスやＭＡＣアドレス）等を含む。また、制御タブレット端末１０１及び表示タブレット端末１０２が予め識別情報を記憶していて、この識別情報で制御タブレット端末１０１及び表示タブレット端末１０２を区別してもよい。でここで、制御タブレット端末１０１及び表示タブレット端末１０２を特定する情報を、固有情報と呼ぶ。
【００４４】
ボックス管理オブジェクト２８は、データボックス２６、端末情報２７およびボックスオブジェクト２９を管理する。ボックス管理オブジェクト２８は、データボックス２６、端末情報２７およびボックスオブジェクト２９の作成、削除に関する処理を行う。ボックス管理オブジェクト２８は、第１ブラウザー実行部２６１ａ又は第２ブラウザー実行部２６２ａの要求に応じてデータボックス２６を作成し、このデータボックス２６に対応する端末情報２７およびボックスオブジェクト２９を生成する。従って、図３に示すように、それぞれのデータボックス２６にボックスオブジェクト２９が設けられる。
【００４５】
制御タブレット端末１０１は、制御タブレット端末１０１に対応付けられたデータボックス２６にデータを送信できる。
制御タブレット端末１０１は、表示タブレット端末１０２に送信するデータと、データボックス２６の識別情報を示すデータを、ホスト装置１１に送信する。ボックス管理オブジェクト２８は、受信したデータに含まれる識別情報を参照して、この識別情報で指定されたデータボックス２６に対応するボックスオブジェクト２９を呼び出す。呼び出されたボックスオブジェクト２９は、データを受信して、データボックス２６に記憶させる。ボックスオブジェクト２９は、データを記憶させたデータボックス２６に対応する端末情報２７を参照する。ボックスオブジェクト２９は、端末情報２７でデータボックス２６に対応付けられた表示タブレット端末１０２に、データボックス２６に記憶させたデータを送信する。これにより、制御タブレット端末１０１が宛先の表示タブレット端末１０２を指定しなくても、端末情報２７で設定された表示タブレット端末１０２にデータが送信される。
【００４６】
また、制御タブレット端末１０１は、表示タブレット端末１０２を指定してデータを送信することもできる。この場合、ボックスオブジェクト２９は、制御タブレット端末１０１から受信したデータをデータボックス２６に記憶させ、受信したデータにより指定された表示タブレット端末１０２を送信先として選択する。ボックスオブジェクト２９は、端末情報２７でデータボックス２６に対応付けられた表示タブレット端末１０２のうち、送信先として選択した表示タブレット端末１０２にデータを送信する。制御タブレット端末１０１が表示タブレット端末１０２を指定する方法は、例えば、制御タブレット端末１０１が、データボックス２６に送信するデータに、表示タブレット端末１０２の固有情報を示すデータを付加すればよい。
【００４７】
ここで、制御タブレット端末１０１が指定した表示タブレット端末１０２が、制御タブレット端末１０１が指定したデータボックス２６に対応付けられていない場合、ボックスオブジェクト２９は、指定された表示タブレット端末１０２にデータを送信しない。また、ボックスオブジェクト２９は、制御タブレット端末１０１により指定されたデータボックス２６に、制御タブレット端末１０１が対応付けられていない場合は、この制御タブレット端末１０１から受信したデータをデータボックス２６に記憶させない。
【００４８】
ボックスオブジェクト２９は、データボックス２６に記憶したデータを表示タブレット端末１０２に送信するときに、データボックス２６の識別情報を示すデータを付加する。第２ブラウザー実行部２６２ａは、データを受信するときに、受信するデータが記憶されていたデータボックス２６を特定できる。
【００４９】
第２ブラウザー実行部２６２ａは、第２経路Ｋ２を介してデータを受信すると、受信したデータを表示する表示イメージデータを生成して、表示制御部２８２に出力する。これにより、制御タブレット端末１０１が送信したデータが表示パネル１０２ｃに表示される。
【００５０】
図４は、制御タブレット端末１０１及び表示タブレット端末１０２の表示例を示す図である。図４（Ａ）は、制御タブレット端末１０１のタッチパネル１０１ａの表示例を示し、図４（Ｂ）は表示タブレット端末１０２の表示パネル１０２ｃの表示例を示す。
【００５１】
図４（Ａ）の第１ユーザーインターフェイスＵ１は、オペレーターが制御タブレット端末１０１を操作して会計処理を行う場合に、タッチパネル１０１ａに表示される画面である。第１ユーザーインターフェイスＵ１には、一覧表示エリア３９、金額表示エリア４０、バーコード情報入力フィールド４１、会員番号入力フィールド４２、及び、ソフトウェアテンキー４３が含まれる。一覧表示エリア３９には、商品の名称、単価、及び、販売数量が一覧表示される。金額表示エリア４０には商品の合計金額、預かり金額、釣り銭金額が表示される。バーコード情報入力フィールド４１には、バーコードスキャナー１２によって読み取られたバーコード情報が表示される。会員番号入力フィールド４２には、カードリーダー１３によって顧客の会員カードを読み取った会員番号が表示される。ソフトウェアテンキー４３は、第１ユーザーインターフェイスＵ１の入力フィールドに数値を入力する目的で使用される。
【００５２】
図４（Ｂ）の第２ユーザーインターフェイスＵ２は、ＰＯＳシステム１が会計処理を実行する場合に表示パネル１０２ｃに表示される画面である。第２ユーザーインターフェイスＵ２には、６つの表示エリアが含まれる。このうち４つは、購入商品表示エリア５５、合計金額表示エリア５６、金額表示エリア５７、釣銭金額表示エリア５８である。購入商品表示エリア５５には第１ユーザーインターフェイスＵ１の一覧表示エリア３９と同じデータが一覧表示される。また、合計金額表示エリア５６、金額表示エリア５７及び釣銭金額表示エリア５８には金額表示エリア４０と同じデータが表示される。これらの表示エリアに表示されるデータは制御タブレット端末１０１がデータボックス２６に送信し、データボックス２６から、ボックスオブジェクト２９によって表示タブレット端末１０２に送信される。
第２ユーザーインターフェイスＵ２の他の２つの表示エリアは、情報表示エリア５９及び情報表示エリア６０である。情報表示エリア５９には、上述した例のように第２ブラウザー実行部２６２ａが外部サーバー２から取得した気象情報が表示される。また、情報表示エリア６０には第２ブラウザー実行部２６２ａが外部サーバー２から取得した広告情報が表示される。
【００５３】
第２ユーザーインターフェイスＵ２に表示されるデータはデータボックス２６を経由して表示タブレット端末１０２に送信される。
例えば、制御タブレット端末１０１は一覧表示エリア３９に表示させたデータを＃１のデータボックス２６に送信する。このデータは＃１のデータボックス２６に記憶され、＃１のデータボックス２６の識別情報を示すデータと一緒に、表示タブレット端末１０２に送信される。制御タブレット端末１０１は、金額表示エリア４０に表示させたデータを＃２のデータボックス２６に送信する。このデータは＃２のデータボックス２６に記憶され、＃２のデータボックス２６の識別情報を示すデータと一緒に、表示タブレット端末１０２に送信される。また、制御タブレット端末１０１は、気象情報を取得するＵＲＬを＃３のデータボックス２６に送信する。このＵＲＬは＃３のデータボックス２６に記憶され、＃３のデータボックス２６の識別情報を示すデータと一緒に、表示タブレット端末１０２に送信される。他の表示エリアに表示されるデータも同様に、データボックス２６を経由して表示タブレット端末１０２に送信される。
配置情報１１２は、データボックス２６に対応付けて表示形態を示す情報を含む。例えば、配置情報１１２は、データボックス２６の識別情報（＃１〜＃３）と、図４（Ｂ）に示すエリア（表示領域）とを対応付ける情報を含む。このため、＃１〜＃３のデータボックス２６から表示タブレット端末１０２に送信されたデータは、第２ユーザーインターフェイスＵ２において、データボックス２６に対応する表示エリアに表示される。配置情報１１２は、表示エリアにおけるデータの表示サイズや色などの表示態様の情報を含んでもよい。
【００５４】
図５及び図６を参照して、ＰＯＳシステム１におけるデータの送信方法を説明する。
図５は、ＰＯＳシステム１でデータを送受信する動作の説明図である。図５（Ａ）は制御タブレット端末１０１が受信側の表示タブレット端末１０２を指定しない場合を示す。図５（Ｂ）は制御タブレット端末１０１が受信側の表示タブレット端末１０２を指定する場合を示す。図６はＰＯＳシステム１の装置の動作を示すシーケンス図である。
図５及び図６では１つの制御タブレット端末１０１と、２つの表示タブレット端末１０２を備えた例を示す。２つの表示タブレット端末１０２を区別するため、表示タブレット端末１０２には＃１と＃２の識別情報を付ける。図６中、（Ａ）は制御タブレット端末１０１の動作を示し、（Ｂ）はホスト装置１１の動作を示し、（Ｃ）は＃１の表示タブレット端末１０２の動作を示し、（Ｄ）は＃２の表示タブレット端末１０２の動作を示す。＃１または＃２の一方の表示タブレット端末１０２は受信装置に相当し、他方は第２の受信装置に相当する。
【００５５】
データ送信の前に、ホスト装置１１ではボックス管理オブジェクト２８の制御によりデータボックス２６が作成される（ステップＳ２１）。この説明では、＃１のデータボックス２６が作成され、このデータボックス２６には制御タブレット端末１０１および２台の表示タブレット端末１０２が対応付けられる。
まず、図５（Ａ）に示すように、制御タブレット端末１０１が、表示タブレット端末１０２に送信するデータ（以下、送信データ）と、データボックス２６の識別情報（＃１）のデータを送信した場合（ステップＳ１１）を説明する。ホスト装置１１はデータを受信して（ステップＳ２２）、制御タブレット端末１０１が＃１のデータボックス２６に対応付けられているかを判定する（ステップＳ２３）。この判定は一種の認証処理である。制御タブレット端末１０１が＃１のデータボックス２６に対応付けられている場合、ホスト装置１１のデータボックス２６に送信データが記憶される（ステップＳ２４）。
【００５６】
ここで、ホスト装置１１は、＃１のデータボックス２６に対応付けられた表示タブレット端末１０２を、データを送信する送信先（宛先）の表示タブレット端末１０２として決定し、送信データを送信する（ステップＳ２５）。図５（Ａ）に示すように、＃１の制御タブレット端末１０１と、＃２の表示タブレット端末１０２の両方に、データボックス２６に記憶された送信データが送信される。また、ホスト装置１１は、送信データだけでなく、送信データが記憶されたデータボックス２６の識別情報（＃１）のデータを、表示タブレット端末１０２に送信する。
【００５７】
＃１の表示タブレット端末１０２は、ホスト装置１１が送信したデータを受信し（ステップＳ３１）、受信したデータを表示パネル１０２ｃに表示させる（ステップＳ３２）。＃２の表示タブレット端末１０２も、同様に、ホスト装置１１が送信したデータを受信し（ステップＳ４１）、受信したデータを表示パネル１０２ｃに表示させる（ステップＳ４２）。ステップＳ３２及びＳ４２の動作では、ホスト装置１１が送信データに付加して送信した、データボックス２６の識別情報（＃１）のデータに基づいて、表示態様が決定される。
【００５８】
また、図５（Ｂ）に示すように、制御タブレット端末１０１が、送信データと、データボックス２６の識別情報（＃１）のデータと、表示タブレット端末１０２の識別情報のデータを送信した場合（ステップＳ１２）を説明する。
ホスト装置１１は、送信データ、データボックス２６の識別情報のデータ、及び表示タブレット端末１０２の識別情報のデータを受信し（ステップＳ２６）、ステップＳ２３と同様に制御タブレット端末１０１の認証を行う（ステップＳ２７）。制御タブレット端末１０１が＃１のデータボックス２６に対応付けられている場合、ホスト装置１１のデータボックス２６に送信データが記憶される（ステップＳ２８）。このステップＳ２８で、表示タブレット端末１０２の識別情報のデータをデータボックス２６に記憶させてもよい。
【００５９】
ホスト装置１１は、制御タブレット端末１０１から受信した表示タブレット端末１０２の識別情報（ここでは＃２）のデータに対応する表示タブレット端末１０２を、データの送信先として決定し、送信データを送信する（ステップＳ２９）。
この場合、図５（Ｂ）に示すように、＃２の表示タブレット端末１０２に、データボックス２６に記憶された送信データが送信される。＃１の表示タブレット端末１０２には送信データが送信されない。
＃２の表示タブレット端末１０２は、ホスト装置１１が送信したデータを受信し（ステップＳ４３）、受信したデータを表示パネル１０２ｃに表示させる（ステップＳ４４）。
【００６０】
また、ホスト装置１１は、データボックス２６に対応付けられていない表示タブレット端末１０２には、データボックス２６に記憶された送信データを送信しない。図５（Ｂ）の例で、制御タブレット端末１０１が送信した表示タブレット端末１０２の識別情報のデータに対応する表示タブレット端末１０２が、データボックス２６に対応付けられていない場合も同様である。
【００６１】
以上説明したように、本実施形態に係るＰＯＳシステム１は、データを受信する表示タブレット端末１０２と、ホスト装置１１と、制御タブレット端末１０１とを備える。ホスト装置１１は、制御タブレット端末１０１が送信したデータを受信するサーバーインターフェイス３２、データボックス２６を有する記憶部２５、及び、データをデータボックス２６に記憶させるデバイス制御部２０を有する。データボックス２６は、表示タブレット端末１０２に対応付けられる。デバイス制御部２０は、制御タブレット端末１０１がデータボックス２６を指定してデータを送信した場合に、データを指定されたデータボックス２６に記憶させる。デバイス制御部２０は、データボックス２６に記憶されたデータを、データボックス２６に対応付けられた表示タブレット端末１０２に送信させる。これにより、制御タブレット端末１０１から表示タブレット端末１０２へのデータの送信を簡易化し、データの送信先の表示タブレット端末１０２を高い自由度で決めることができる。
【００６２】
また、ＰＯＳシステム１は、複数の表示タブレット端末１０２を備え、複数の表示タブレット端末１０２がデータボックス２６に対応付けられてもよい。これらを第１の表示タブレット端末１０２、第２の表示タブレット端末１０２とすれば、データボックス２６が、第１の表示タブレット端末１０２及び第２の表示タブレット端末１０２と対応付けられてもよい。このとき、デバイス制御部２０は、データボックス２６に記憶されたデータを第１及び第２の表示タブレット端末１０２に送信させる。これにより、制御タブレット端末１０１がデータボックス２６を指定してデータを送信すると、送信されたデータが第１及び第２の表示タブレット端末１０２に送信される。このため、制御タブレット端末１０１から表示タブレット端末１０２へのデータの送信を簡易化できる。
【００６３】
また、デバイス制御部２０は、制御タブレット端末１０１がデータボックス２６と第２の表示タブレット端末１０２を指定してデータを送信した場合、データボックス２６に記憶されたデータを、第２の表示タブレット端末１０２に送信させる。このため、送信側の制御タブレット端末１０１と表示タブレット端末１０２との対応を高い自由度で制御できる。また、本発明は、上記ＰＯＳシステム１において、記憶部２５にデータボックス２６と異なる第２のデータボックス２６を設けることもできる。＃２のデータボックス２６が制御タブレット端末１０１に対応付けられていないとき、デバイス制御部２０は、制御タブレット端末１０１が＃２のデータボックス２６を指定してデータを送信した場合に、データを＃２のデータボックス２６に記憶させない。このため、データを送信可能な制御タブレット端末１０１を制限することでセキュリティー面の信頼性を高めることができる。
【００６４】
なお、上述した実施の形態は、あくまでも本発明の一態様を示すものであり、本発明の範囲内で任意に変形および応用が可能である。
例えば、上述した実施形態では、デバイス制御部２０が、通信部２０ｂにより、データボックス２６に記憶されたデータを、表示タブレット端末１０２にプッシュ送信させる構成を例に挙げて説明した。本発明はこれに限定されず、例えば、出力装置は、プリンターユニット２１であってもよいし、外部のプリンターであってもよい。すなわち、デバイス制御部２０が、ボックスオブジェクト２９により、プリンターユニット２１や他のプリンターにデータをプッシュ送信してもよい。この場合、データを受信したプリンターユニット２１や他のプリンターが、予め設定された情報に基づきデータを配置して印刷を行ってもよい。
【符号の説明】
【００６５】
１…ＰＯＳシステム（送信システム）、１１…ホスト装置、１７…ＰＯＳサーバー、１８…デバイスサーバー（送信装置）、２０…デバイス制御部（データ制御部）、２０ａ…プリンターユニット制御部、２０ｂ…通信部、２０ｃ…デバイス通信制御部、２０ｄ…データ配信部、２５…記憶部、２６…データボックス（記憶領域、第２の記憶領域）、２７…端末情報、３０…ＰＯＳサーバー制御部、３０ａ…アプリケーション実行部、３１…ＰＯＳサーバー記憶部、３２…サーバーインターフェイス（受信部）、３５…アプリケーション、１０１…制御タブレット端末（データ供給装置）、１０１ｃ…表示パネル、１０２…表示タブレット端末（受信装置、第２の受信装置）、１０２ｃ…表示パネル（表示部）、１１２…配置情報、２６１…第１端末制御部、２６１ａ…第１ブラウザー実行部、２６２…第２端末制御部、２６２ａ…第２ブラウザー実行部。
【図１】
2015082171.tif 000003
【図２】
2015082171.tif 000004
【図３】
2015082171.tif 000005
【図４】
2015082171.tif 000006
【図５】
2015082171.tif 000007
【図６】
2015082171.tif 000008